(57)【要約】【課題】効率的に情報を検索できるようにする。【解決手段】記録再生部は、ハードディスクに提供される情報を記録し、ワークメモリは、ハードディスクに記録されている情報を複数の項目に分類して管理するディレクトリを記憶している。そして、ステップＳ２１において、情報を分類するディレクトリの項目が決定され、ステップＳ２３において、その決定されたディレクトリの項目に、情報を表すタイトルが登録される。その後、ディレクトリに基づいて、情報を項目別にモニタに表示するように制御される。【選択図】図１６
2008198351.tif 000002
【特許請求の範囲】
【請求項１】
提供される情報を記録媒体に記録する記録手段と、
前記記録媒体に記録されている情報を複数の項目に分類して管理するディレクトリを記憶する記憶手段と、
前記情報を分類するディレクトリの項目を決定する決定手段と、
前記決定手段により決定された前記ディレクトリの項目に、前記情報を表すタイトルを登録する登録手段と、
前記ディレクトリに基づいて、前記情報を項目別に表示画面に表示するように制御する表示制御手段と
を備えることを特徴とする情報処理装置。
【請求項２】
前記表示制御手段は、記憶されている前記ディレクトリの項目を前記表示画面に表示し、表示された項目のうち、ユーザによって選択された項目に登録されている情報のタイトルをさらに表示するように制御する
ことを特徴とする請求項１に記載の情報処理装置。
【請求項３】
前記表示画面に表示されたタイトルの情報を再生する再生手段をさらに備える
ことを特徴とする請求項１に記載の情報処理装置。
【請求項４】
前記決定手段は、提供される情報の内容に関する付随情報に基づいて前記情報を分類する前記ディレクトリの項目を自動的に決定する
ことを特徴とする請求項１に記載の情報処理装置。
【請求項５】
前記決定手段は、前記情報を分類する項目を複数決定し、
前記登録手段は、決定された複数の項目に重複して登録する
ことを特徴とする請求項１に記載の情報処理装置。
【請求項６】
前記ディレクトリの項目は、ユーザを特定するものであり、
前記表示制御手段は、記憶されている前記ディレクトリに基づいて、前記情報をユーザ別に表示するように制御する
ことを特徴とする請求項１に記載の情報処理装置。
【請求項７】
前記情報は、放送される番組であり、
前記登録手段は、毎週同時刻に放送される番組を同じ項目に登録する
ことを特徴とする請求項１に記載の情報処理装置。
【請求項８】
提供される情報を記録媒体に記録する記録手段と、
前記記録媒体に記録されている情報を複数の項目に分類して管理するディレクトリを記憶する記憶手段とを備える情報処理装置の情報処理方法において、
前記情報を分類するディレクトリの項目を決定し、
決定された前記ディレクトリの項目に、前記情報を表すタイトルを登録し、
前記ディレクトリに基づいて、前記情報を項目別に表示画面に表示するように制御する
ステップを含むことを特徴とする情報処理方法。
【請求項９】
提供される情報の内容に関する付随情報に基づいて前記情報を分類する前記ディレクトリの項目を自動的に決定する
ことを特徴とする請求項８に記載の情報処理方法。
【請求項１０】
前記情報を分類する項目を複数決定し、
決定された複数の項目に重複して登録する
ことを特徴とする請求項８に記載の情報処理方法。
【請求項１１】
前記ディレクトリの項目は、ユーザを特定するものであり、
記憶されている前記ディレクトリに基づいて、前記情報をユーザ別に表示するように制御する
ことを特徴とする請求項８に記載の情報処理方法。
【請求項１２】
前記情報は、放送される番組であり、
毎週同時刻に放送される番組を同じ項目に登録する
ことを特徴とする請求項８に記載の情報処理方法。
【発明の詳細な説明】
【技術分野】
【０００１】
本発明は、情報処理装置および方法に関し、特に、放送されている番組情報を効率的に検索できるように、記録または再生するようにした、情報処理装置および方法に関する。
【背景技術】
【０００２】
通常、テレビジョン放送の番組の画像を録画する場合、ビデオテープレコーダが用いられる。このビデオテープレコーダに、予め録画する放送チャンネルと時刻を指定しておくと、その時刻に、そのチャンネルで放送されている番組の画像データをビデオテープに録画することができる。
【発明の開示】
【発明が解決しようとする課題】
【０００３】
ユーザは、通常、このようなビデオテープを、そのケースに番組名を記載するなどして保管する。しかしながら、各ビデオテープを整理して保管しておかないと、所望の番組の画像が記録されているビデオテープを探す場合、そのビデオテープを迅速に探すことができない課題があった。
【０００４】
また、例えば、放送番組の画像データをハードディスクレコーダなどに録画する場合においても、各番組の画像データは、それぞれ所定のファイルとして、ルートディレクトリに順次配列されるだけで、多くの画像データの中から所望の画像データを迅速に検索することができない課題があった。
【０００５】
本発明はこのような状況に鑑みてなされたものであり、迅速かつ効率的に、所望の情報を検索できるようにするものである。
【課題を解決するための手段】
【０００６】
請求項１に記載の情報処理装置は、提供される情報を記録媒体に記録する記録手段と、記録媒体に記録されている情報を複数の項目に分類して管理するディレクトリを記憶する記憶手段と、情報を分類するディレクトリの項目を決定する決定手段と、決定手段により決定されたディレクトリの項目に、情報を表すタイトルを登録する登録手段と、ディレクトリに基づいて、情報を項目別に表示画面に表示するように制御する表示制御手段とを備えることを特徴とする。
【０００７】
請求項８に記載の情報処理方法は、情報を分類するディレクトリの項目を決定し、決定されたディレクトリの項目に、情報を表すタイトルを登録し、ディレクトリに基づいて、情報を項目別に表示画面に表示するように制御するステップを含むことを特徴とする。
【０００８】
請求項１に記載の情報処理装置、および請求項８に記載の情報処理方法においては、情報を分類するディレクトリの項目が決定され、そのディレクトリの項目に、情報を表すタイトルが登録され、そのディレクトリに基づいて、情報が項目別に表示画面に表示される。
【発明の効果】
【０００９】
本発明の一側面によれば、番組を効率的に表示することができる。
【発明を実施するための最良の形態】
【００１０】
以下、本発明を適用した具体的な実施の形態について、図面を参照しながら詳細に説明する。
【００１１】
図１は、本発明を適用した受信システムの構成例を表している。この受信システム１においては、チューナ１２が、アンテナ１１を介して、衛星を介して送信されてくる電波、または地上のアンテナを介して送信されてくる電波を受信する。どのチャンネルの電波を受信するかは、ハードディスク（HDD）レコーダ１３からの選局制御情報に対応して制御される。
【００１２】
ハードディスクレコーダ１３は、チューナ１２より供給された番組のオーディオデータとビデオデータを内蔵するハードディスクに記録するとともに、チューナ１２より供給されたビデオデータとオーディオデータ、またはハードディスクから再生されたビデオデータとオーディオデータを、モニタ１４に出力する。なお、このモニタ１４は、ディスプレイとスピーカを有している。
【００１３】
リモートコントローラ１５は、ユーザにより操作され、その操作に対応する赤外線信号をハードディスクレコーダ１３に出力する。
【００１４】
すなわち、ユーザが、リモートコントローラ１５を操作して、所定の放送局の電波の受信を指令すると、ハードディスクレコーダ１３は、チューナ１２に対して、指定されたチャンネルを受信させるための選局制御信号を出力する。チューナ１２は、この選局制御信号に対応して、アンテナ１１を介して指定されたチャンネルの電波を受信し、その受信した信号をハードディスクレコーダ１３に出力する。ハードディスクレコーダ１３は、チューナ１２からの入力信号を、内蔵するハードディスクに記録する。
【００１５】
ハードディスクレコーダ１３はまた、リモートコントローラ１５を介して指令が入力されたとき、内蔵するハードディスクに記録されている画像データとオーディオデータを再生し、モニタ１４に出力する。
【００１６】
ハードディスクレコーダ１３は、例えば、図２に示すように構成されている。受信部２１は、リモートコントローラ１５からの赤外線信号を受信し、電気信号に変換してレコーダ制御部２６に出力する。レコーダ制御部２６は、例えば、マイクロプロセッサなどにより構成され、プログラムメモリ２８に記憶されているプログラムに従って、各種の処理を実行する。レコーダ制御部２６は、このとき、ワークメモリ２９を必要に応じて使用する。通信部３５は、レコーダ制御部２６により制御され、チューナ１２と通信し、主にチューナ１２に対して選局制御信号を出力する。
【００１７】
復調部２２は、チューナ１２より供給された信号を、復調し、デマルチプレクサ２３に出力する。デマルチプレクサ２３は、復調部２２より供給されたデータを、オーディオデータ、ビデオデータ、およびEPGデータに分離し、それぞれ、オーディオデコーダ２４、ビデオデコーダ２５、またはレコーダ制御部２６に出力する。
【００１８】
オーディオデコーダ２４は、入力されたオーディオデータを、例えばMPEG方式でデコードし、記録再生部３３に出力する。ビデオデコーダ２５は、入力されたビデオデータを、例えばMPEG方式でデコードし、ディスプレイコンバータ３０に出力する。レコーダ制御部２６は、入力されたEPGデータをEPGデータメモリ２７に供給し、記憶させる。
【００１９】
ディスプレイコンバータ３０は、例えば、図３に示すように構成されている。ビデオエンコーダ４１は、ビデオデコーダ２５より供給されたビデオデータを、例えばNTSC方式のビデオデータにエンコードし、記録再生部３３に出力する。ディスプレイサイズコンバータ４２は、ビデオデコーダ２５より供給されたビデオデータの画面のサイズを、モニタ１４のサイズに対応するサイズに変換し、ビデオエンコーダ４３に出力する。ビデオエンコーダ４３は、ビデオエンコーダ４１と同様に、入力されたビデオデータをNTSC方式のビデオデータに変換し、D/Aコンバータ４４に出力する。D/Aコンバータ４４は、入力されたビデオデータをアナログ信号に変換し、ディスプレイ制御部３２に出力する。
【００２０】
ディスプレイ制御部３２は、レコーダ制御部２６の制御のもと、OSD（On Screen Display）制御部３１が出力したOSD信号を、ディスプレイコンバータ３０より入力されたビデオ信号に重畳し、モニタ１４のディスプレイに出力し、表示させる。
【００２１】
モニタ１４にはまた、オーディオデコーダ２４が出力したオーディオデータが、D/Aコンバータ３４によりアナログ信号に変換されて供給されている。モニタ１４は、このオーディオ信号を内蔵するスピーカから出力する。
【００２２】
記録再生部３３は、例えば、図４に示すように構成されている。オーディオエンコーダ５１は、オーディオデコーダ２４より供給されるオーディオデータを、例えばMPEG方式でエンコードし、マルチプレクサ５３に出力する。ビデオエンコーダ５２は、ディスプレイコンバータ３０のビデオエンコーダ４１より供給されるビデオデータを、例えばMPEG方式でエンコードし、マルチプレクサ５３に出力する。マルチプレクサ５３は、オーディオエンコーダ５１より入力されたオーディオデータと、ビデオエンコーダ５２より入力されたビデオデータと合成し、チャネルコーディング部５４に出力する。チャネルコーディング部５４は、マルチプレクサ５３より入力された合成データをチャネルコーディングする。記録増幅器５５は、チャネルコーディング部５４より出力されたデータを増幅し、記録ヘッド５６を介してハードディスク５７に供給し、記録させる。
【００２３】
再生ヘッド５８は、ハードディスク５７に記録されているデータを再生し、再生増幅器５９を介してデマルチプレクサ６０に出力する。デマルチプレクサ６０は、再生増幅器５９より入力されたデータを、オーディオデータとビデオデータに分離し、それぞれオーディオデコーダ６１とビデオデコーダ６２に出力する。オーディオデコーダ６１は、入力されたオーディオデータをMPEG方式でデコードし、D/Aコンバータ６３に出力する。D/Aコンバータ６３は、入力されたオーディオデータをD/A変換し、モニタ１４のスピーカに出力する。
【００２４】
ビデオデコーダ６２は、デマルチプレクサ６０より入力されたビデオデータをMPEG方式でデコードする。D/Aコンバータ６４は、ビデオデコーダ６２より入力されたビデオデータをD/A変換し、モニタ１４のディスプレイに出力する。
【００２５】
図５は、リモートコントローラ１５の構成例を表している。送信部７１は、ユーザが、各種のボタンを操作したとき、その操作されたボタンに対応する赤外線信号を送信する。上述したように、この送信部７１より送信された赤外線信号は、ハードディスクレコーダ１３の受信部２１により受信される。
【００２６】
電源ボタン７２は、ハードディスクレコーダ１３の電源をオンまたはオフさせるとき操作される。録画ボタン７３は、録画動作を開始させるとき操作される。番組ガイドボタン７４は、EPG（Electric Program Guide）の画像を表示させるとき、また、各番組のより詳細な内容を表す番組ガイドを表示させるとき操作される。
【００２７】
ディレクトリボタン７５は、ハードディスク５７に記録されている番組情報のディレクトリ構造を表示させるとき操作される。画像ファイル検索ボタン７６は、ハードディスク５７に記録されている画像ファイルの中から、所定の画像ファイルを検索するとき操作される。Ｇコード予約ボタン７７は、Ｇコードを用いて番組の録画予約を行うとき操作される。Ｇコードを構成する数字は、数字ボタン７０を操作することで入力される。なお、数字ボタン７０は、文字を入力するときにも使用される。
【００２８】
上ボタン７８、右ボタン７９、下ボタン８０、および左ボタン８１（以下、これらをカーソルボタンとも称する）は、ディスプレイに表示されているカーソルを、それぞれ、上、右、下、または左方向に移動させるとき操作される。決定再生ボタン８２は、選択を確定するとき、またはハードディスク５７に記録されている番組データを再生させるとき操作される。
【００２９】
音量ボタン８４は、音量を増減させるとき操作され、チャンネルボタン８３は、選局するチャンネルの数字を増減させるとき操作される。
【００３０】
次に、図６のフローチャートを参照して、所定の放送番組の画像情報を録画予約する場合の処理について説明する。最初に、ステップＳ１において、ユーザは、リモートコントローラ１５の番組ガイドボタン７４を操作する。送信部７１から、この操作に対応する赤外線信号が送信されると、この赤外線信号は、ハードディスクレコーダ１３の受信部２１で受信され、レコーダ制御部２６に入力される。レコーダ制御部２６は、この信号の入力を受けたとき、EPGデータメモリ２７に既に記憶されているEPGデータを読み出させる。
【００３１】
なお、EPGデータは、放送局側から比較的短い所定の周期で頻繁に、送信されてきており、レコーダ制御部２６は、通信部３５を介してチューナ１２を制御し、EPGデータを受信させる。ハードディスクレコーダ１３の復調部２２は、入力されたEPGデータを復調し、デマルチプレクサ２３に出力する。デマルチプレクサ２３は、入力されたEPGデータをレコーダ制御部２６に出力する。レコーダ制御部２６は、このようにして、入力されたEPGデータをEPGデータメモリ２７に供給し、記憶させている。従って、EPGデータメモリ２７には、常に最新のEPGデータが更新され、保存されている。
【００３２】
レコーダ制御部２６によりEPGデータメモリ２７から読み出されたデータは、OSD制御部３１に入力される。OSD制御部３１は、入力されたEPGデータに対応する画像データを発生し、ディスプレイ制御部３２に出力する。ディスプレイ制御部３２は、OSD制御部３１より入力されたビデオデータをモニタ１４のディスプレイに出力し、表示させる。これにより、モニタ１４のディスプレイには、例えば図７に示すようなEPG（電子番組ガイド）が表示される。
【００３３】
次に、ステップＳ２に進み、ユーザは、EPGに基づいて録画する番組を選択する操作を行う。すなわち、このとき、ユーザは、カーソルボタンを操作して、EPG上のカーソルを所望の番組の位置に移動させる。このような操作により、例えば図７においては、番組Ａ上に位置するカーソル（図７において、影を付して表されている表示）が、図８においては、番組Ｃ上に移動されている。
【００３４】
すなわち、ユーザが、カーソルボタンを操作すると、それに対応する赤外線信号が送信部７１から出力されるので、レコーダ制御部２６は、受信部２１を介してこの信号を受信すると、カーソルの位置を移動した画像データをOSD制御部３１に発生させる。その結果、カーソルが移動された画像が、モニタ１４のディスプレイに表示される。
【００３５】
カーソルが所望の番組上に位置した状態において、ユーザは、決定再生ボタン８２を操作する。レコーダ制御部２６は、この操作信号が入力された場合、その時カーソルが位置する番組が録画すべき番組として決定されたことをワークメモリ２９に記憶させる。
【００３６】
次に、ステップＳ３において、ユーザは、番組ガイド表示のための操作を実行する。このとき、ユーザは、リモートコントローラ１５の番組ガイドボタン７４を操作する。レコーダ制御部２６は、この操作信号の入力を受けたとき、EPGデータメモリ２７に既に記憶されている、ステップＳ２で選択された番組の内容の詳細を表す番組ガイド情報を読み出し、OSD制御部３１に出力する。OSD制御部３１は、入力された番組ガイド情報に対応する画像データを生成し、ディスプレイ制御部３２を介してモニタ１４に表示させる。これにより、モニタ１４には、例えば、図９に示すような番組ガイドが表示される。この例においては、ステップＳ２において、番組Ｃが選択されたものとして、番組Ｃのより詳細な内容を紹介する番組ガイド情報が表されている。
【００３７】
次に、ステップＳ４において、ユーザは、この録画する番組Ｃのファイルのディレクトリを、どこにするのかを選択する。この選択も、カーソルを所定の位置に移動させ、決定の操作を入力することで行われる。例えば、図９の表示例においては、番組Ｃのジャンルが「ドキュメンタリ」であることが示されている。ユーザは、この番組Ｃを「ドキュメンタリ」のディレクトリに登録させたい場合、カーソルを、この「ドキュメンタリ」上に位置させ、決定再生ボタン８２を操作する。この操作信号が入力されたとき、レコーダ制御部２６は、OSD制御部３１を制御し、図１０に示すように、「ドキュメンタリ」の文字の表示状態を、図９に示す状態から変化させ、ユーザに、その項目がディレクトリの項目として受け付けられたことを知らしめる。
【００３８】
ユーザは、必要に応じて、モニタ１４上に表示されているアイコンボタン「次へ」を操作することで、番組ガイド情報の、次のページに進み、必要な項目をさらに選択することができる。
【００３９】
そして、ユーザが、必要なディレクトリの項目の入力を完了したとき、ステップＳ５で、予約処理が実行される。このときユーザは、「予約」のアイコンボタンを選択する。レコーダ制御部２６は、この操作信号の入力を受けたとき、OSD制御部３１を制御し、図１１に示すように、「この番組を録画しますか？」のメッセージ、「録画する」のアイコンボタン、並びに「取消」のアイコンボタンを表示させる。「取消」のアイコンボタンが選択されたとき、レコーダ制御部２６は、OSD制御部３１を制御し、表示を図９に示すような状態に復帰させる。
【００４０】
「録画する」のアイコンボタンが選択された場合、レコーダ制御部２６は、OSD制御部３１を制御し、図１２に示すように、「予約手続完了しました」のメッセージを表示させるとともに、「了解」のアイコンボタンを表示させる。ユーザが、「了解」のアイコンボタンを選択し、決定したとき、ステップＳ６においてレコーダ制御部２６は、ディレクトリ作成処理を実行する。
【００４１】
すなわち、レコーダ制御部２６は、例えば、図１３に示すようなディレクトリを作成し、その作成したディレクトリ中に、ステップＳ２で選択された番組を配置し、ワークメモリ２９（またはハードディスク５７）に記憶させる。図１３の表示例においては、ディレクトリ中に、ドキュメンタリの項目が生成され、その項目中に、ステップＳ２で選択された番組Ｃの名称が登録されている。図１３には、この他、ディレクトリ中の項目として、ドラマと映画が記録されており、ドラマの中に、番組Ｄ１と番組Ｄ２の名称が登録されており、映画の項目中に、番組Ｍ１乃至番組Ｍ４の名称が登録されている。
【００４２】
以上においては、ディレクトリの項目をジャンルだけとしたが、例えば、放送される曜日、時刻などを、さらにディレクトリの項目として選択入力させるようにすることもできる。この場合、例えば、図１４に示すように、曜日と放送時刻に基づいてディレクトリが作成される。図１４の表示例においては、「ドラマ」のジャンルに、「月曜日」、「火曜日」といった曜日の項目が形成され、その下に、さらに、例えば、「午前８時」、「午前９時」といった時刻の項目が形成される。そして、この時刻の項目の下に、番組Ｄ１１乃至Ｄ１３、Ｄ２１，Ｄ３１，Ｄ３２などの名称が配置されている。
【００４３】
なお、図１４に示すように、ジャンル、曜日、および時刻をディレクトリ中の項目として設定するようにすると、毎週同時刻に放送されている番組を連続して登録することが可能となり、その再生をまとめて指令することが可能となる。
【００４４】
レコーダ制御部２６はまた、ワークメモリ２９（またはハードディスク５７）の予約リスト中に、予約された番組のチャンネルと放送時刻の情報を登録する。そして、レコーダ制御部２６は、計時動作を行い、予約リストに登録されている時刻が到来したとき、ステップＳ７において、録画処理を実行する。
【００４５】
すなわち、レコーダ制御部２６は、予約リストに登録されている時刻が到来したとき、チューナ１２に選局制御信号を出力し、予約リストに登録されているチャンネルを受信させる。チューナ１２より出力された信号は、ハードディスクレコーダ１３の復調部２２において復調され、デマルチプレクサ２３において、オーディオデータ、ビデオデータ、およびEPGデータに分離される。オーディオデコーダ２４は、デマルチプレクサ２３より入力されたオーディオデータを、MPEG方式でデコードし、記録再生部３３に出力する。ビデオデコーダ２５は、デマルチプレクサ２３より供給されたビデオデータをMPEG方式でデコードし、ディスプレイコンバータ３０のビデオエンコーダ４１に出力する。ビデオエンコーダ４１は、入力されたビデオデータをNTSC方式のビデオデータに変換し、記録再生部３３に出力する。
【００４６】
記録再生部３３のオーディオエンコーダ５１は、オーディオデコーダ２４より供給されたオーディオデータを、MPEG方式でエンコードし、ビデオエンコーダ５２は、ビデオエンコーダ４１より入力されたビデオデータをMPEG方式でエンコードする。マルチプレクサ５３は、オーディオエンコーダ５１より入力されたオーディオデータと、ビデオエンコーダ５２より入力されたビデオデータとをマルチプレクスし、チャネルコーディング部５４に出力する。チャネルコーディング部５４は、入力されたデータをチャネルコーディングし、記録増幅器５５を介して、記録ヘッド５６に供給し、ハードディスク５７に１つのファイルとして、記録させる。
【００４７】
なお、ディレクトリ作成処理は、録画処理が完了してから行うようにしてもよい。このようにすれば、何らかの原因により、録画処理が実行されなかったとき、ディレクトリだけが作成されてしまうようなことが防止される。
【００４８】
次に、図１５のフローチャートを参照して、このようにしてハードディスク５７に記録された番組情報を再生する場合の処理について説明する。ステップＳ１１において、ユーザは、ディレクトリ表示操作を行う。すなわち、ユーザは、リモートコントローラ１５の画像ファイル検索ボタン７６を操作する。ハードディスクレコーダ１３のレコーダ制御部２６は、この操作信号の入力を受けたとき、ワークメモリ２９（またはハードディスク５７）に記憶されているディレクトリを読み出し、OSD制御部３１に出力する。OSD制御部３１は、入力されたディレクトリデータを画像データに変換し、ディスプレイ制御部３２を介してモニタ１４に出力し、表示させる。このようにして、モニタ１４には、例えば、図１３または図１４に示すようなディレクトリが表示される。
【００４９】
次に、ステップＳ１２において、ユーザは、再生する番組を選択する操作を行う。すなわち、このときユーザは、リモートコントローラ１５のカーソルボタンを操作して、所定の番組を選択する。例えば、図１３に示すようなディレクトリが表示されている場合、ユーザは、最初に、ドキュメンタリ、ドラマ、映画などのジャンルの中から、１つのジャンルを選択する。そして、所定のジャンルを選択したとき、ユーザは、さらにそのジャンルに含まれる番組名称のうちの、所定の番組名称上にカーソルを移動させる。所望の番組名の上にカーソルが移動されたとき、ユーザは、決定再生ボタン８２を操作して、選択を確定する。さらに、ステップＳ１３において、ユーザは、再生の開始を指令する。すなわち、このとき、ユーザは、再度、決定再生ボタン８２を操作して、再生を指令する。
【００５０】
レコーダ制御部２６は、再生の開始の指令を受けたとき、記録再生部３３を制御し、ハードディスク５７に記録されている番組データの中から、指定された番組データを再生させる。ハードディスク５７から再生ヘッド５８により再生されたデータは、再生増幅器５９により増幅され、デマルチプレクサ６０に入力される。デマルチプレクサ６０は、入力されたデータをオーディオデータとビデオデータに分離する。オーディオデータは、オーディオデコーダ６１により、MPEG方式でデコードされ、D/Aコンバータ６３によりアナログ信号に変換されて、モニタ１４のスピーカに出力される。
【００５１】
一方、ビデオデコーダ６２は、デマルチプレクサ６０より入力されたビデオデータをMPEG方式でデコードする。D/Aコンバータ６４は、ビデオデータをD/A変換し、モニタ１４のディスプレイに出力する。
【００５２】
なお、図１４に示すようなディレクトリが表示された場合には、ユーザは、ジャンルを指定した後、さらに、曜日と時刻を指定して、再生する番組を指定することになる。
【００５３】
このように、ディレクトリの中から、再生すべき番組を指定することができるので、迅速かつ確実に、所望の番組を選択指定することが可能となる。
【００５４】
以上においては、ハードディスク５７に記録した番組の名称をディレクトリ中の１つの項目中に登録するようにしたが、複数の項目に該当する場合には、それぞれの項目に重複して登録させるようにすることもできる。この場合、図６のステップＳ４の処理は省略される。そして、レコーダ制御部２６は、ステップＳ６のディレクトリ作成処理において、図１６のフローチャートに示すような処理を実行する。
【００５５】
すなわち、最初に、ステップＳ２１において、レコーダ制御部２６は、ステップＳ２で選択された番組に対応する番組ガイド情報から、１つの項目を選択する。この処理は、番組ガイド情報が、ユーザにより表示されたか否かに拘らず実行される。そして、ステップＳ２２において、レコーダ制御部２６は、ステップＳ２１で選択された項目をディレクトリ中に登録する。その項目が、既にディレクトリに登録されている場合には、この処理は省略される。
【００５６】
次に、ステップＳ２３において、レコーダ制御部２６は、ステップＳ２２で登録した（または既に登録されている）項目に、ステップＳ２で選択された番組名を登録する。
【００５７】
次に、ステップＳ２４に進み、レコーダ制御部２６は、番組ガイド情報中に存在する全ての項目についての処理を終了したか否かを判定し、まだ、処理していない項目が存在する場合には、ステップＳ２１に戻り、同様の処理を繰り返し実行する。ステップＳ２４において、全ての項目についての処理が終了したと判定された場合、ディレクトリ作成処理は終了される。
【００５８】
このようにして、番組ガイド情報中に存在する全ての項目について、その番組が登録されるため、例えば、図１７に示すように、番組の名称は、ディレクトリ中の複数の項目に重複して登録される。図１７の例においては、番組Ｄ４１は、「月曜日」の「曜日」、「ドラマ」の「ジャンル」、「特許太郎」の「出演者」、「８チャンネル」の「チャンネル」に、それぞれ重複して登録されている。従って、ユーザは、検索するとき、「曜日」、「ジャンル」、「出演者」、「チャンネル」のいずれの項目からも、この番組Ｄ４１を検索することができる。
【００５９】
なお、以上においては、番組ガイド情報の中から、そこに文字として含まれている項目を適宜選択し、分類するようにしたが、図６のフローチャートに示すステップＳ４の処理において、ユーザに複数のディレクトリの項目を選択させ、ステップＳ６のディレクトリ作成処理において、その選択された複数の項目について、ディレクトリを作成させるようにしてもよい。
【００６０】
また、以上においては、番組ガイド情報に含まれている文字から、ディレクトリの項目を選択するようにしたが、ディレクトリとして選択する項目を予め用意し、ワークメモリ２９またはハードディスク５７に予め記憶させておくようにすることもできる。この場合、予約処理は、図１８のフローチャートに示すように行われる。そのステップＳ４１乃至ステップＳ４７の処理は、図６のステップＳ１乃至ステップＳ７の処理と基本的に同様の処理であるが、図６のステップＳ４においては、ステップＳ３で表示された番組ガイド情報からディレクトリの項目を選択するようにしていたが、図１８のステップＳ４４では、ステップＳ４３で表示されたディレクトリの項目の中から、ディレクトリが選択されるようになされている。その他の処理は、図６における場合と同様である。
【００６１】
すなわち、図１８のステップＳ４３において、ユーザは、リモートコントローラ１５のディレクトリボタン７５を操作する。このとき、レコーダ制御部２６は、OSD制御部３１を制御し、例えば、図１９に示すような、予め設定されているディレクトリの項目をモニタ１４に表示させる。図１９の表示例においては、「ドラマ」、「ニュース」、「ドキュメンタリ」、「アニメ」、「天気予報」、「特集」の項目が表示されている。ユーザは、「次へ」のアイコンボタンを選択することで、さらに、次の項目を表示させることができる。そして、「決定」のアイコンボタンを選択、決定することで、１個以上のディレクトリの項目を選択することができる。
【００６２】
図２０は、このようにして表示されるディレクトリの項目の他の例を表している。この例においては、「お父さん」、「お母さん」、「太郎」、「花子」といった家族を特定する項目が表示されている。これにより、ハードディスク５７に記録されている画像データを、家族で個別に管理することが可能となる。
【００６３】
以上においては、再生時に、所望の番組を、迅速に検索できるように、ディレクトリを予め作成するようにしたが、ディレクトリの作成を省略することも可能である。図２１は、このような場合の予約処理を表している。
【００６４】
この場合、最初に、ステップＳ６１において、ユーザは、番組ガイドボタン７４を操作して、EPGをモニタ１４に表示させる。そして、ステップＳ６２において、ユーザは、カーソルボタンと決定再生ボタン８２を操作して、録画予約する番組を選択する。さらに、ステップＳ６３において、ユーザは、選択した番組の録画予約を入力する。
【００６５】
以上のステップＳ６１乃至ステップＳ６３の処理は、図６のフローチャートにおけるステップＳ１，Ｓ２、およびステップＳ５の処理と同様の処理である。
【００６６】
ステップＳ６３において、予約処理が行われると、ステップＳ６４において、レコーダ制御部２６は、番組情報をデータベースに登録する処理を実行する。すなわち、レコーダ制御部２６は、ステップＳ６２で選択された番組に関するEPG情報と、番組ガイド情報を、ワークメモリ２９（またはハードディスク５７）のデータベース中に、ステップＳ２に選択された番組に対応して登録する。
【００６７】
次に、ステップＳ６５において、ステップＳ６３で作成された予約リストに登録されている時刻が到来したとき、レコーダ制御部２６は、録画処理を実行する。このステップＳ６５の処理は、図６のステップＳ７の処理と同様の処理である。
【００６８】
すなわち、この例においては、番組が録画予約されると、その番組のEPGデータとともにガイド情報が、その番組に対応してデータベース中に登録される。そして、予約録画動作が行われる。
【００６９】
このようにして、予約録画動作が行われた場合、検索処理は、例えば、図２２のフローチャートに示すように行われる。
【００７０】
最初にステップＳ８１において、ユーザは、再生すべき番組に関するキーワードを入力する。このキーワードは、リモートコントローラ１５の数字ボタン７０を文字キーモードに変換して入力することができる。レコーダ制御部２６は、キーワードが入力されると、ステップＳ８２において、ワークメモリ２９（またはハードディスク５７）上のデータベースから、入力されたキーワードに対応する番組を検索する。検索された結果得られた番組名は、OSD制御部３１からディスプレイ制御部３２を介してモニタ１４に出力され、表示される。ステップＳ８３において、ユーザは、表示された検索結果を見て、所望の番組が表示されているか否かを判定し、表示されていなければ、ステップＳ８１に戻り、再びキーワードを入力し、それ以降の処理を繰り返し実行する。
【００７１】
このようにして、例えば、「ドラマ」、「月曜日」、「午前８時」といったキーワードを入力すると、レコーダ制御部２６は、データベースに登録されている番組の中から、これらのキーワードを含む番組を検索し、モニタ１４に表示させる。
【００７２】
ステップＳ８３において、所望の番組が検索表示されていると判定された場合、ステップＳ８４に進み、ユーザは、表示されている番組の中から、再生すべき番組を選択する。そして、ステップＳ８５において、再生の開始を指令する。このステップＳ８４とＳ８５の処理は、図１５のステップＳ１２とステップＳ１３の処理と同様の処理である。
【００７３】
このように、この例においては、再生時にキーワードを入力するようにしているので、予約録画動作時の操作が簡単となる。
【００７４】
なお、以上においては、本発明をハードディスクレコーダに適用した場合を例として説明したが、本発明は、放送情報、その他の情報をハードディスク以外の記録媒体に記録する場合にも適用することが可能である。
【００７５】
また、上記したような処理を行うコンピュータプログラムをユーザに提供する提供媒体としては、磁気ディスク、CD-ROM、固体メモリなどの記録媒体の他、ネットワーク、衛星などの通信媒体を利用することができる。
【図面の簡単な説明】
【００７６】
【図１】本発明を適用した受信システムの構成例を示すブロック図である。
【図２】図１の受信システムのハードディスクレコーダの構成例を示すブロック図である。
【図３】図２のディスプレイコンバータの構成例を示すブロック図である。
【図４】図２の記録再生部の構成例を示すブロック図である。
【図５】図１のリモートコントローラの構成例を示す図である。
【図６】図２のディスクレコーダの予約動作を説明するフローチャートである。
【図７】図１のモニタの表示例を示す図である。
【図８】図１のモニタの表示例を示す図である。
【図９】図１のモニタの表示例を示す図である。
【図１０】図１のモニタの表示例を示す図である。
【図１１】図１のモニタの表示例を示す図である。
【図１２】図１のモニタの表示例を示す図である。
【図１３】ディレクトリの例を説明する図である。
【図１４】ディレクトリの例を説明する図である。
【図１５】図２のハードディスクレコーダの検索時の処理を説明するフローチャートである。
【図１６】ディレクトリ作成処理の例を説明するフローチャートである。
【図１７】ディレクトリの例を示す図である。
【図１８】図２のハードディスクレコーダの予約処理の他の例を説明するフローチャートである。
【図１９】ディレクトリの項目の例を示す図である。
【図２０】ディレクトリの項目の例を示す図である。
【図２１】図２のハードディスクレコーダの予約処理の他の動作例を説明するフローチャートである。
【図２２】図２のハードディスクレコーダの検索時の処理を説明するフローチャートである。
【符号の説明】
【００７７】
１２  チューナ，  １３  ハードディスクレコーダ，  １４  モニタ，  １５  リモートコントローラ，  ２４  オーディオデコーダ，  ２５  ビデオデコーダ，  ２６  レコーダ制御部，  ２７  EPGデータメモリ，  ２９  ワークメモリ，  ３３  記録再生部，  ５７  ハードディスク
【図１】
2008198351.tif 000003
【図２】
2008198351.tif 000004
【図３】
2008198351.tif 000005
【図４】
2008198351.tif 000006
【図５】
2008198351.tif 000007
【図６】
2008198351.tif 000008
【図７】
2008198351.tif 000009
【図８】
2008198351.tif 000010
【図９】
2008198351.tif 000011
【図１０】
2008198351.tif 000012
【図１１】
2008198351.tif 000013
【図１２】
2008198351.tif 000014
【図１３】
2008198351.tif 000015
【図１４】
2008198351.tif 000016
【図１５】
2008198351.tif 000017
【図１６】
2008198351.tif 000018
【図１７】
2008198351.tif 000019
【図１８】
2008198351.tif 000020
【図１９】
2008198351.tif 000021
【図２０】
2008198351.tif 000022
【図２１】
2008198351.tif 000023
【図２２】
2008198351.tif 000024